(57)【特許請求の範囲】
【請求項１】
メモリを搭載した記録媒体カセットを用いて記録再生を行う記録再生装置において、
上記記録媒体に対して情報の記録を行う手段と、
上記メモリに対して情報の書き込みを行う手段と、
記録媒体上の位置情報を発生する手段と、
情報の記録を行った場合、該記録の開始位置情報と終了位置情報をそれぞれ別のヘッダーを持つデータとして上記メモリに記録する手段と、
上記記録媒体上の既に記録されたエリアの一部に他の情報が上書きされた時には、上書きしたエリアの記録媒体上の開始位置情報及び終了位置情報をそれぞれ別のヘッダーを持つデータとして上記メモリに記憶する手段とからなることを特徴とする記録再生装置。
【請求項２】
上記記録媒体に記録される情報は、画像信号及び音声信号であり、音声信号がアフレコされた時にアフレコの開始点と終了点の位置情報を上記メモリに記憶するようにしたことを特徴とする請求項１記載の記録再生装置。
【請求項３】
メモリを搭載した記録媒体カセットを用いて記録再生を行う記録再生装置において、
画像信号及び音声信号を記録する手段と、
上記メモリに対して情報の書き込みを行う手段と、
上記画像信号に付随した情報を記録する手段と、
上記記録媒体上の位置情報を発生する手段と、
上記画像信号及び音声信号の記録を行った場合、該記録の開始位置情報と終了位置情報をそれぞれ別のヘッダーを持つデータとして上記メモリに記録する手段と、
上記画像信号に付随する信号が記録された場合、記録媒体上の開始位置情報及び終了位置情報をそれぞれ別のヘッダーを持つデータとして上記メモリに記憶する手段とからなることを特徴とする記録再生装置。
【請求項４】
上記画像に付随する信号は、Ｖブランキング期間または有効走査線期間に重畳された画像信号以外の情報であることを特徴とする請求項３記載の記録再生装置。
【発明の詳細な説明】
【０００１】
【産業上の利用分野】
この発明は、ビデオ信号及びオーディオ信号を符号化して記録再生するディジタルＶＣＲのような記録再生装置に関する。
【０００２】
【従来の技術】
ビデオ信号やオーディオ信号を符号化して記録再生する装置が実施されている。この例としては、業務用ＶＣＲにおけるコンポーネント方式のＤ１、コンポジット方式のＤ２等がある。また、民生用ディジタルＶＣＲとして、画像圧縮方式のものが研究開発されている。ディジタルＶＣＲに使用されるテープカセットには、メモリＩＣが取り付けられており、このメモリのデータ構造について、本願出願人は、平成５年１０月１８日付の特願平５−２６８０５４号で言及している。このメモリＩＣのことを以下の説明ではＭＩＣと呼ぶことにする。ＭＩＣは、メインエリアとオプショナルエリアに分割されており、データはパック構造を用いて記憶される。ＭＩＣの情報単位をイベントと呼び、テキストイベント、プログラムイベント、インデックスイベント（タグ）、メーカーズオプショナルイベント等がある。ＭＩＣのメインエリアには、メインイベントが記憶され、全てのＶＣＲが必ずこのエリアに関して対応を取らなければならない。また、オプショナルエリアには、オプショナルイベントが記憶される。オプショナルイベントは、イベントヘッダーで始まる。
【０００３】
【発明が解決しようとする課題】
このようなシステムにおいて、例えば図５１のようにＡ点からＢ点までプログラム１が記録され、Ｂ点からＣ点までプログラム２が記録されているとする。そして、ＭＩＣ内にプログラム１の記録開始点としてＡ点の位置情報が図に示すようにプログラムスタートパックを用いて記憶され、プログラム１の記録終了点としてＢ点の位置情報がプログラムエンドパックを用いて記憶されている。プログラム２についても同様に記録開始点と記録終了点き位置情報がＭＩＣに記憶されている。このような状態からプログラム１に関してＤ点からＥ点まで、またプログラム２に関してはＦ点からＧ点までオーディオのアフレコを行ったとする。ここで、これらのＤ点、Ｅ点、Ｆ点及びＧ点の位置情報をＭＩＣ内に記憶しようとした場合、これらの位置情報はプログラムスタートパックとプログラムエンドパックを用いなければならない。このようにＭＩＣ内に記憶させた場合には、どの位置情報がアフレコの開始点であるか、またはアフレコの終了点なのか判別できないという不具合が生じてしまう。
【０００４】
従って、この発明の目的は、上述の問題点に鑑みてなされたもので、オーディオデータに対するアフレコ、ビデオデータに対するインサート、Ｖブランキング期間のデータ等をイベントとしてＭＩＣに記録し、それらのデータを容易にサーチすることが可能な記録再生装置を提供することにある。
【０００５】
【課題を解決するための手段】
この発明は、メモリを搭載した記録媒体カセットを用いて記録再生を行う記録再生装置において、記録媒体に対して情報の記録を行う手段と、メモリに対して情報の書き込みを行う手段と、記録媒体上の位置情報を発生する手段と、情報の記録を行った場合、記録の開始位置情報と終了位置情報をそれぞれ別のヘッダーを持つデータとしてメモリに記録する手段と、記録媒体上の既に記録されたエリアの一部に他の情報が上書きされた時には、上書きしたエリアの記録媒体上の開始位置情報及び終了位置情報をそれぞれ別のヘッダーを持つデータとしてメモリに記憶する手段とからなることを特徴とする記録再生装置である。
【０００６】
また、この発明は、メモリを搭載した記録媒体カセットを用いて記録再生を行う記録再生装置において、画像信号及び音声信号を記録する手段と、メモリに対して情報の書き込みを行う手段と、画像信号に付随した情報を記録する手段と、記録媒体上の位置情報を発生する手段と、画像信号及び音声信号の記録を行った場合、記録の開始位置情報と終了位置情報をそれぞれ別のヘッダーを持つデータとしてメモリに記録する手段と、画像信号に付随する信号が記録された場合、記録媒体上の開始位置情報及び終了位置情報をそれぞれ別のヘッダーを持つデータとしてメモリに記憶する手段とからなることを特徴とする記録再生装置である。
【０００７】
【作用】
テープ上におけるオーディオアフレコやビデオインサートの開始ポイント／終了ポイント、画像に付随する信号の記録開始点／終了点をＭＩＣに記憶させると共に、文字データをＭＩＣに記憶させる。これにより、各データを容易にサーチすることができる。
【０００８】
【実施例】
以下、この発明の好適なる一実施例を図面を参照して説明する。以下の実施例は、この発明を、ディジタルビデオ信号を圧縮して記録／再生するディジタルＶＣＲに適用したものである。このようなディジタルＶＣＲでは、コンポジットディジタルカラービデオ信号が輝度信号Ｙ、色差信号Ｒ−Ｙ及びＢ−Ｙに分離され、ＤＣＴ変換と可変長符号を用いた高能率符号を用いた高能率圧縮方式により圧縮され、回転ヘッドにより磁気テープに記録される。記録方式としては、ＳＤ方式（５２５ライン／６０Ｈｚ、６２５ライン／５０Ｈｚ）とＨＤ方式（１１２５ライン／６０Ｈｚ、１２５０ライン／５０Ｈｚ）とが設定でき、ＳＤ方式の場合には、１フレーム当たりのトラック数が１０トラック（５２５ライン／６０Ｈｚの場合）、または１２トラック（５２５ライン／６０Ｈｚの場合）、ＨＤ方式の場合には、１フレーム当たりのトラック数がＳＤ方式の倍、つまり、２０トラック（１１２５ライン／６０Ｈｚの場合）、または２４トラック（１２５０ライン／５０Ｈｚの場合）になる。
【０００９】
このようなディジタルＶＣＲにおいて、データ管理が容易で、ディジタルＶＣＲを汎用性のある記録再生装置として利用可能とするためのシステムとして、本願出願人は、先にＡｐｐｌｉｃａｔｉｏｎ  ＩＤなるシステムを提案している。このシステムを用いると、ビデオの予備データＶＡＵＸ（Ｖｉｄｅｏ  Ａｕｘｉｌｉａｒｙ  ｄａｔａ）  、オーディオの予備データＡＡＵＸ（Ａｕｄｉｏ  Ａｕｘｉｌｉａｒｙ  ｄａｔａ）やサブコード、及びＭＩＣ（Ｍｅｍｏｒｙ  Ｉｎ  Ｃａｓｓｅｔｔｅ）  と呼ばれるメモリを有するメモリ付カセットの管理が容易となる。そして、この発明では、パックを用いて、オーディオデータのアフレコやビデオデータのインサート及びＶブランキング期間に重畳されているデータ（放送局の運用信号や医療用信号等）を記録している。
【００１０】
まず、このＡｐｐｌｉｃａｔｉｏｎ  ＩＤシステムに関して説明する。この発明が適用されたディジタルＶＣＲのテープでは、図１Ａに示すように、テープ上に斜めトラックが形成される。１フレーム当たりのトラック数は、ＳＤ方式で１０トラックと１２トラック、ＨＤ方式で２０トラックと２４トラックである。
【００１１】
図１Ｂは、ディジタルＶＣＲに用いられるテープの１本のトラックを示す。トラック入口側には、ＩＴＩ（Ｉｎｓｅｒｔ  ａｎｄ  Ｔｒａｃｋ  Ｉｎｆｏｒｍａｔｉｏｎ）なるアフレコを確実に行うためのタイミングブロックがある。これは、それ以降のエリアに書かれたデータをアフレコして書き直す場合に、そのエリアの位置決めを正確にするために設けられるものである。
【００１２】
どのようなディジタル信号記録再生応用装置においても、特定エリアのデータの書き換えは必須なので、このトラック入口側のＩＴＩエリアは必ず存在することになる。つまり、ＩＴＩなるエリアに短いシンク長のシンクブロックを多数個書いておき、その中にトラック入口側から順にそのシンク番号を振っておく。アフレコをしようとする時、このＩＴＩエリアのシンクブロックのどれかを検出できれば、そこに書いてある番号から現在のトラック上の位置が正確に判断できる。それに基づいて、アフレコのエリアを確定するのである。一般的に、トラック入口側は、メカ精度等の関係からヘッドの当たりが取り難く不安定である。そのために、シンク長を短くして多数個のシンクブロックを書いておくことにより、検出確率を高くしているのである。
【００１３】
このＩＴＩエリアは、図２に示すように、プリアンブル、ＳＳＡ、ＴＩＡ及びポストアンブルの４つの部分からなる。１４００ビットのプリアンブルは、ディジタル信号再生のＰＬＬのランインの働き等をする。ＳＳＡ（Ｓｔａｒｔ  Ｓｙｎｃ  ｂｌｏｃｋＡｒｅａ  ）は、この機能のために用いられるものであり、１ブロック３０ビットで構成され、６１ブロックある。その後ろにＴＩＡ（Ｔｒａｃｋ  Ｉｎｆｏｒｍａｔｉｏｎ  Ａｒｅａ）がある。これは、３ブロック９０ビットで構成される。ＴＩＡは、トラック全体に関わる情報を格納するエリアであって、この中におおもとのＡｐｐｌｉｃａｔｉｏｎ  ＩＤであるＡＰＴ（Ａｐｐｌｉｃａｔｉｏｎ  ＩＤ  ｏｆ  ａ  Ｔｒａｃｋ  ）３ビット、トラックピッチを表すＳＰ／ＬＰ１ビット、リザーブ１ビット、それにサーボシステムの基準フレームを示すＰＦ（Ｐｉｌｏｔ  Ｆｒａｍｅ  ）１ビットの計６ビットが格納される。最後にマージンを稼ぐためのポストアンブル２８０ビットがある。
【００１４】
また上述の装置において、本願出願人は先に記録媒体の収納されるカセットにメモリＩＣの設けられた回路基板を搭載して、このカセットが装置に装着されるとこのメモリＩＣに書き込まれたデータを読み出して記録再生の補助を行うようにすることを提案した（特願平４−１６５４４４号、特願平４−２８７８７５号）。本願ではこれをＭＩＣと呼ぶことにする。
【００１５】
ＭＩＣには、テープ長、テープ厚、テープ種類等のテープ自体の情報と共に、ＴＯＣ（Ｔａｂｌｅ  Ｏｆ  Ｃｏｎｔｅｎｔｓ  ）情報、インデックス情報、文字情報、再生制御情報、タイマー記録情報等を記憶しておくことができる。ＭＩＣを有するカセットテープをディジタルＶＣＲに接続すると、例えばＭＩＣに記憶されたデータが読み出され、所定のプログラムにスキップしたり、プログラムの再生順を設定したり、所定のプログラムの場面を指定して静止画（フォト）を再生したり、タイマー予約で記録したりすることが可能となる。
【００１６】
Ａｐｐｌｉｃａｔｉｏｎ  ＩＤは、上述のＴＩＡエリアのＡＰＴだけでなく、このＭＩＣの中にもＡＰＭ（Ａｐｐｌｉｃａｔｉｏｎ  ＩＤ  ｏｆ  ＭＩＣ  ）として、アドレス０の上位３ビットに格納されている。Ａｐｐｌｉｃａｔｉｏｎ  ＩＤの定義は、
Ａｐｐｌｉｃａｔｉｏｎ  ＩＤはデータ構造を規定する、としている。
要するに、Ａｐｐｌｉｃａｔｉｏｎ  ＩＤはその応用例を決めるＩＤではなく、単にそのエリアのデータ構造を決定しているだけである。従って、以下の意味付けがなされる。
ＡＰＴ・・・トラック上のデータ構造を決める。
ＡＰＭ・・・ＭＩＣのデータ構造を決める。
ＡＰＴの値により、トラック上のデータ構造が規定される。
【００１７】
つまり、ＩＴＩエリア以降のトラックが、図３のようにいくつかのエリアに分割され、それらのトラック上の位置、シンクブロック構成、エラーからデータを保護するためのＥＣＣ構成等のデータ構造が一義に決まる。さらに各エリアには、それぞれそのエリアのデータ構造を決めるＡｐｐｌｉｃａｔｉｏｎ  ＩＤが存在する。その意味付けは単純に以下のようになる。
エリアｎのＡｐｐｌｉｃａｔｉｏｎ  ＩＤ・・・エリアｎのデータ構造を決める。
【００１８】
Ａｐｐｌｉｃａｔｉｏｎ  ＩＤは、図４のような階層構造を持つ。おおもとのＡｐｐｌｉｃａｔｉｏｎ  ＩＤであるＡＰＴによりトラック上のエリアが規定され、その各エリアにさらにＡＰ１〜ＡＰｎが規定される。エリアの数は、ＡＰＴにより定義される。図４では二階層で記されているが、必要に応じてさらにその下に階層を形成してもよい。ＭＩＣ内のＡｐｐｌｉｃａｔｉｏｎ  ＩＤであるＡＰＭは一階層のみである。その値は、ディジタルＶＣＲによりその機器のＡＰＴと同じ値が書き込まれる。
【００１９】
ところで、このＡｐｐｌｉｃａｔｉｏｎ  ＩＤシステムにより、家庭用のディジタルＶＣＲを、そのカセット、メカニズム、サーボシステム、ＩＴＩエリアの生成検出回路等をそのまま流用して、全く別の商品郡、例えばデータストリーマーやマルチトラック・ディジタルオーディオテープレコーダーのようなものを作ることも可能である。また１つのエリアが決まってもその中味をさらに、そのエリアのＡｐｐｌｉｃａｔｉｏｎ  ＩＤで定義できるので、あるＡｐｐｌｉｃａｔｉｏｎ  ＩＤの値の時はそこはビデオデータ、別の値の時はビデオ・オーディオデータ、またはコンピューターデータというように非常に広範なデータ設定を行うことが可能になる。
【００２０】
次にＡＰＴ＝０００の時の様子を図５Ａに示す。この図に示されるように、トラック上にエリア１、エリア２、エリア３が規定される。そしてそれらのトラック上の位置、シンクブロック構成、エラーからデータを保護するためのＥＣＣ構成、それに各エリアを保証するためのギャップや重ね書きを保証するためのオーバーライトマージンが決まる。さらに各エリアには、それぞれそのエリアのデータ構造を決めるＡｐｐｌｉｃａｔｉｏｎ  ＩＤが存在する。その意味付けは単純に以下のようになる。
ＡＰ１・・・エリア１のデータ構造を決める。
ＡＰ２・・・エリア２のデータ構造を決める。
ＡＰ３・・・エリア３のデータ構造を決める。
【００２１】
そしてこの各エリアのＡｐｐｌｉｃａｔｉｏｎ  ＩＤが、０００の時を以下のように定義する。
ＡＰ１＝０００・・ＣＶＣＲのオーディオ、ＡＡＵＸのデータ構造を採る
ＡＰ２＝０００・・ＣＶＣＲのビデオ、ＶＡＵＸのデータ構造を採る
ＡＰ３＝０００・・ＣＶＣＲのサブコード、ＩＤのデータ構造を採る
ここで
ＣＶＣＲ：家庭用ディジタル画像音声信号記録再生装置
ＡＡＵＸ：オーディオ予備データ
ＶＡＵＸ：ビデオ予備データ
と定義する。すなわち家庭用のディジタルＶＣＲを実現するときは、図５Ｂに示すように、
ＡＰＴ、ＡＰ１、ＡＰ２、ＡＰ３＝０００
となる。当然、ＡＰＭも０００の値を採る。
【００２２】
ＡＰＴ＝０００の時には、ＡＡＵＸ、ＶＡＵＸ、サブコード及びＭＩＣの各エリアは、すべて共通のパック構造で記述される。図６に示すように、１つのパックは５バイトで構成され、先頭の１バイトがヘッダー、残りの４バイトがデータである。パックとは、データグループの最小単位のことで、関連するデータを集めて１つのパックが構成される。
【００２３】
ヘッダー８ビットは、上位４ビット、下位４ビットに分かれ、階層構造を形成する。図７のように、上位４ビットを上位ヘッダー、下位４ビットを下位ヘッダーとして二階層とされ、さらにデータのビットアサインによりその下の階層まで拡張することができる。この階層化により、パックの内容は明確に系統だてられ、その拡張も容易となる。そしてこの上位ヘッダー、下位ヘッダーによる２５６の空間は、パックヘッダー表として、その各パックの内容と共に準備される（図８参照）。これを用いて、上述の各エリアが記述される。パック構造は５バイトの固定長を基本とするが、例外としてＭＩＣ内に文字データを記述する時のみ、可変長のパック構造を用いる。これは限られたバッファメモリを有効利用するためである。
【００２４】
オーディオとビデオの各エリアは、それぞれオーディオセクター、ビデオセクターと呼ばれる。図９にオーディオセクターの構成を示す。なお、オーディオセクターは、プリアンブル、データ部及びポストアンブルからなる。プリアンブルは、５００ビットで構成され、ランアップ４００ビット、２つのプリシンクブロックからなる。ランアップは、ＰＬＬの引き込みのためのランアップパターンとして用いられ、プリシンクは、オーディオシンクブロックの前検出として用いられる。データ部は、１０５００ビットからなる。後ろのポストアンブルは、５５０ビットで構成され、１つのポストシンクブロック、ガードエリア５００ビットからなる。ポストシンクは、そのＩＤのシンク番号によりこのオーディオセクターの終了を確認させるものであり、ガードエリアは、アフレコしてもオーディオセクターがその後ろのビデオセクターに食い込まないようガードするためのものである。
【００２５】
プリシンク、ポストシンクの各ブロックは、図１０Ａ及び図１０Ｂに示すように、どちらも６バイトで構成される。プリシンクの６バイト目には、ＳＰ／ＬＰの判別バイトがある。ＦＦｈでＳＰ、００ｈでＬＰを表す。ポストシンクの６バイト目は、ダミーデータとしてＦＦｈを格納する。ＳＰ／ＬＰの識別バイトは、前述のＴＩＡエリアにもＳＰ／ＬＰフラグとして存在するが、これはその保護用である。ＴＩＡエリアの値が読み取れれば、それを採用し、もし読み取り不可ならこのエリアの値を採用する。プリシンク、ポストシンクの各６バイトは、２４−２５変換（２４ビットのデータを２５ビットに変換して記録する変調方式）を施してから記録されるので、総ビット長は、
プリシンク    ６×２×８×２５÷２４＝１００ビット
ポストシンク  ６×１×８×２５÷２４＝  ５０ビット
となる。
【００２６】
オーディオシンクブロックは、図１１のように、９０バイトで１シンクブロックが構成される。前半の５バイトは、プリシンク、ポストシンクと同様の構成とされる。データ部は７７バイトで、水平パリティＣ１（８バイト）と垂直パリティＣ２（５シンクブロック）により保護されている。オーディオシンクブロックは、１トラック当たり１４シンクブロックからなり、これに２４−２５変換を施してから記録するので、総ビット長は、
９０×１４×８×２５÷２４＝１０５００ビット
となる。データ部の前半５バイトは、ＡＡＵＸ用で、これで１パックが構成され、１トラック当たり９パック用意される。図１１の０から８までの番号は、トラック内のパック番号を表す。
【００２７】
図１２は、その９パック分を抜きだして、トラック方向に記述した図である。１ビデオフレームは、５２５ライン／６０Ｈｚシステムの場合に１０トラックで、６２５ライン／５０Ｈｚシステムの場合に１２トラックで構成される。オーディオやサブコードもこの１ビデオフレームに従って記録再生される。図１２において、５０から５５までの数字は、パックヘッダーの値（１６進数）を示す。図１２からもわかるように、同じパックを１０トラックに１０回書いていることになる。この部分をメインエリアと称する。ここには、オーディオ信号を再生するために必要なサンプリング周波数、量子化ビット数等の必須項目が主として格納される。なお、データ保護のために多数回書かれる。これにより、テープトランスポートにありがちな横方向の傷や片チャンネルクロッグ等が発生した場合でも、メインエリアのデータを再現できる。
【００２８】
それ以外の残りのパックは、すべて順番につなげてオプショナルエリアとして用いられる。図１２でａ、ｂ、ｃ、ｄ、ｅ、ｆ、ｇ、ｈ、……のように、矢印の方向にメインエリアのパックを抜かしてつなげていく。１ビデオフレームで、オプショナルエリアは３０パック（５２５ライン／６０Ｈｚ）、または３６パック（６２５ライン／５０Ｈｚ）用意される。このエリアは、文字どおりオプションなので、各ディジタルＶＣＲ毎に、図８のパックヘッダー表のなかから自由にパックを選んで記述してよい。
【００２９】
オプショナルエリアは、共通のコモンオプション（例えば文字データ）と各メーカーが独自にその内容を決められる共通性のないメーカーズオプションとからなる。オプションなので片方だけ、または両方存在したり、または両方なくてもよい。情報がない場合は、情報なしのパック（ＮＯ  ＩＮＦＯパック）を用いて記述する。Ａｐｐｌｉｃａｔｉｏｎ  ＩＤ、両者のエリアは、メーカーコードパックの出現により区切られる。このパック以降がメーカーズオプショナルエリアとなる。なお、メインエリア、オプショナルエリア、コモンオプション、メーカーズオプションの仕組みは、ＡＡＵＸ、ＶＡＵＸ、サブコード、ＭＩＣにおいて全て共通である。
【００３０】
図１３は、ビデオセクターの構成を示す。プリアンブル及びポストアンブルの構成は、図９に示されるオーディオセクターと同様である。ただし、ポストアンブルのガードエリアのビット数は、オーディオセクターのそれと比べて多くなっている。ビデオシンクブロックは、図１４のようにオーディオと同じ９０バイトで１シンクブロックが構成される。前半の５バイトは、プリシンク、ポストシンク、オーディオシンクと同様の構成である。データ部は７７バイトで、図１５のように水平パリティＣ１（８バイト）と垂直パリティＣ２（１１シンクブロック）により保護されている。図１５の上部２シンクブロックとＣ２パリティの直前の１シンクブロックはＶＡＵＸ専用のシンクで、７７バイトのデータはＶＡＵＸデータとして用いられる。ＶＡＵＸ専用シンクとＣ２シンク以外は、ＤＣＴ（離散コサイン変換）を用いて圧縮されたビデオ信号のビデオデータが格納される。ビデオシンクブロックは、１トラック当たり１４９シンクブロックからなり、これに２４−２５変換を施してから記録するので、総ビット長は、
９０×１４９×８×２５÷２４＝１１１７５０ビット
となる。
【００３１】
図１６にＶＡＵＸ専用シンクの様子を示す。図１６の上部２シンクが、図１５の上部２シンク、図１６の一番下のシンクが図１５のＣ１の直前の１シンクに相当する。７７バイトを５バイトのパック単位に刻むと２バイト余るが、ここはリザーブとして特に用いない。オーディオと同じく番号を振って行くと、０から４４まで、１トラック当たり４５パック確保される。
【００３２】
この４５パック分を抜きだして、トラック方向に記述した図が、図１７である。図１７において、６０から６５までの数字は、パックヘッダーの値（１６進数）を示す。ここがメインエリアである。オーディオと同様に、同じパックを１０トラックに１０回書いている。ここには、ビデオ信号を再生するために必要なテレビジョン方式、画面のアスペクト比などの必須項目が主として格納されている。これにより、テープトランスポートにありがちな横方向の傷や片チャンネルクロッグ等に対しても、メインエリアのデータを再現することができる。それ以外の残りのパックは、すべて順番につなげてオプショナルエリアとして用いられる。第１７図でオーディオと同様に、ａ、ｂ、ｃ、……のように、矢印の方向にメインエリアのパックを抜かしてつなげていく。１ビデオフレームで、オプショナルエリアは３９０パック（５２５ライン／６０Ｈｚ）、または４６８パック（６２５ライン／５０Ｈｚ）用意される。なお、オプショナルエリアの扱い方は、オーディオのそれと同様である。
【００３３】
図１５において、まん中の１３５シンクブロックが、ビデオ信号の格納エリアである。図中、ＢＵＦ０からＢＵＦ２６は、それぞれ１バッファリングブロックを示している。１バッファリングブロックは、５シンクブロックで構成され、１トラック当り２７個ある。また、１ビデオフレーム、１０トラックでは、２７０バッファリングブロックある。つまり、１フレームの画像データのうち、画像として有効なエリアを抜き出し、そこをサンプリングしたディジタルデータを実画像の様々な部分からシャフリングして集め２７０個のグループが形成される。その１グループが、１バッファリングユニットである。それをその単位毎に、ＤＣＴ方式等の圧縮技術を用いてデータ圧縮を試み、それが全体で目標圧縮値以内かどうかを評価しながら処理して行く。その後、その圧縮した１バッファリングユニットのデータを、１バッファリングブロック、５シンクに詰め込んでいくのである。
【００３４】
次にＩＤ部について説明する。ＩＤＰは、オーディオ、ビデオ、サブコードの各セクターにおいて、同一方式で用いられ、また、ＩＤ０、ＩＤ１を保護するためのパリティとして用いられる。図１８にＩＤ部の内容を示す。なお、ＩＤＰは省略してある。
【００３５】
図１８Ａでは、まずＩＤ１は、トラック内シンク番号を格納する場所である。これは、オーディオセクターのプリシンクからビデオセクターのポストシンクまで、連続に０から１６８まで番号を２進表記で打っていく。ＩＤ０の下位４ビットには、１ビデオフレーム内トラック番号が入る。２トラックに１本の割合で番号を打つ。両者の区別は、ヘッドのアジマス角度で判別できる。ＩＤ０の上位４ビットは、シンクの場所により内容が変わる。図１８Ｂに示すＡＡＵＸ＋オーディオのシンクとビデオデータのシンクでは、シーケンス番号４ビットが入る。これは、００００から１０１１まで１２通りの番号を、各１ビデオフレーム毎につけていくものである。これにより変速再生時に得られたデータが、同一フレーム内のものかどうかの区別をすることができる。
【００３６】
図９、図１１、図１３及び図１５に示されるプリシンク、ポストシンク及びＣ２パリティのシンクでは、ＩＤ０の上位３ビットにＡｐｐｌｉｃａｔｉｏｎ  ＩＤ、ＡＰ１とＡＰ２が格納される。従って、ＡＰ１は８回書き、ＡＰ２は１４回書きされる。このように多数回書き込み、しかもその場所を分散することによりＡｐｐｌｉｃａｔｉｏｎ  ＩＤの信頼性、及び保護をしている。
【００３７】
図１９は、サブコードセクターの構成図である。サブコードセクターのプリアンブル、ポストアンブルには、オーディオセクターやビデオセクターと異なりプリシンク及びポストシンクがない。また他のセクターよりも、その長さが長くなっている。これは、サブコードセクターが、インデックス打ち込みなど頻繁に書き換える用途に用いられるもので、また、トラック最後尾にあるためトラック前半のずれが全部加算された形でそのしわ寄せがくるためである。サブコードシンクブロックは、図２０のように高々１２バイトしかない。前半の５バイトは、プリシンク、ポストシンク、オーディオシンク、ビデオシンクと同様の構成である。続く５バイトはデータ部で、これだけでパックが構成される。
【００３８】
水平パリティＣ１は、２バイトしかなく、これでデータ部を保護している。また、オーディオやビデオのようにＣ１、Ｃ２によるいわゆる積符号構成にはしていない。これは、サブコードが主として高速サーチ用のものであり、その限られたエンベロープ内にＣ２パリティまで共に拾えることはないからである。また、２００倍程度まで高速サーチするために、シンク長も１２バイトと短くしてある。サブコードシンクブロックは、１トラック当り１２シンクブロックあり、これに２４−２５変換を施してから記録するので、総ビット長は、
１２×１２×８×２５÷２４＝１２００ビット
となる。
【００３９】
図２１Ａ及び図２１Ｂは、サブコードのＩＤ部である。サブコードセクターは、前半５トラック（５２５ライン／６０Ｈｚ）、６トラック（６２５ライン／５０Ｈｚ）と後半とでデータ部の内容が異なる。変速再生時や高速サーチ時に、前半部か後半部かを区別するためのＩＤ０のＭＳＢにＦ／Ｒフラグがある。その下３ビットには、シンク番号０と６にはＡｐｐｌｉｃａｔｉｏｎ  ＩＤ、ＡＰ３が入る。シンク番号０と６以外には上から順にインデックスＩＤ、スキップＩＤ、ＰＰ  ＩＤ（Ｐｈｏｔｏ、Ｐｉｃｔｕｒｅ  ＩＤ）が格納される。インデックスＩＤは、従来からあるインデックスサーチのためのもの、スキップＩＤは、コマーシャルカットなど不要場面のカット用のＩＤである。ＰＰ  ＩＤは、静止画サーチ用のものである。ＩＤ０とＩＤ１にまたがっているのは、絶対トラック番号である。これは、テープの頭から順に絶対番号を打っていくもので、これを基にＭＩＣがＴＯＣサーチ等を行う。ＩＤ１の下位４ビットは、トラック内シンク番号である。
【００４０】
図２２に、サブコードのデータ部を示す。大文字のアルファベットはメインエリア、小文字のアルファベットはオプショナルエリアを表している。サブコードの１シンクブロックには１パックあるので、１トラック内のパック番号は０から１１まで、計１２パックある。なお、同じ文字は、同じパック内容を示している。前半と後半とで内容が異なるのが分かる。
【００４１】
メインエリアには、タイムコード、記録年月日等高速サーチに必要なものが格納される。パック単位でサーチできるので特にパックサーチと呼んでいる。オプショナルエリアは、ＡＡＵＸやＶＡＵＸのようにそれを全部つないで使うことはできない。これは、前述のようにパリティの保護が弱いのでトラック毎にその内容を上下に振ると共に、前半と後半のトラック内で同じデータを多数回書きして保護しているからである。従って、オプショナルエリアとして用いることができるのは、前半、後半それぞれ６パック分である。これは５２５ライン／６０Ｈｚシステム、６２５ライン／５０Ｈｚシステム共に同じである。
【００４２】
図２３に、ＭＩＣのデータ構造を示す。ＭＩＣ内もメインエリアとオプショナルエリアに分かれており、先頭の１バイトと未使用領域（ＦＦｈ）を除いてすべてパック構造で記述される。前述のように、文字データだけは可変長のパック構造で、それ以外はＶＡＵＸ、ＡＡＵＸ、サブコードと同じ５バイト固定長のパック構造で格納される。
【００４３】
ＭＩＣメインエリアの先頭のアドレス０には、ＭＩＣのＡｐｐｌｉｃａｔｉｏｎ  ＩＤ、ＡＰＭ３ビットとＢＣＩＤ（Ｂａｓｉｃ  Ｃａｓｓｅｔｔｅ  ＩＤ  ）４ビットがある。ＢＣＩＤは、基本カセットＩＤであり、ＭＩＣ無しカセットでのＩＤ認識（テープ厚み、テープ種類、テープグレード）用のＩＤボードと同じ内容である。ＩＤボードは、ＭＩＣ読み取り端子を従来の８ミリＶＣＲのレコグニションホールと同じ役目をさせるもので、これにより従来のようにカセットハーフに穴を空ける必要がなくなる。アドレス１以降に、順にカセットＩＤ、テープ長、タイトルエンドの３パックが入る。カセットＩＤパックには、テープ厚みのより具体的な値とＭＩＣに関するメモリ情報がある。
【００４４】
テープ長パックは、テープメーカーがそのカセットのテープ長をトラック本数表現で格納するもので、これと次のタイトルエンドパック（記録最終位置情報、絶対トラック番号で記録）から、テープの残量を一気に計算することができる。また、この記録最終位置情報は、カムコーダーで途中を再生して止め、その後、元の最終記録位置に戻るときやタイマー予約時に便利な使い勝手を提供する。
【００４５】
オプショナルエリアは、オプショナルイベントで構成される。メインエリアが、アドレス０から１５まで１６バイトの固定領域だったのに対し、オプショナルエリアはアドレス１６以降にある可変長領域である。その内容により領域の長さが変わり、イベント消去時にはアドレス１６方向に残りのイベントを詰めて保存する。詰め込み作業後に不要となったデータは、すべてＦＦｈを書き込んでおき未使用領域とする。オプショナルエリアは、文字どおりオプションで、おもにＴＯＣやテープ上のポイントを示すタグ情報、それにプログラムに関するタイトル等の文字情報等が格納される。ＭＩＣ読み出し時、そのパックヘッダーの内容により５バイト毎、または可変長バイト（文字データ）毎に、次のパックヘッダーが登場するが、未使用領域のＦＦｈをヘッダーとして読み出すと、これはＮＯＩＮＦＯパックのパックヘッダーに相当するので、コントロールマイコンはそれ以降に情報がないことを検出できる。
【００４６】
図２４は、この発明による記録再生装置で上述のデータ等を記録するために用いるパックヘッダー表であり、図８に示されるものを抜粋したものである。以下、図２５から図４０を用いて、各パックの説明を行う。
【００４７】
図２５は、テープ上のポイントを表すタグパックの構成を示す。ヘッダーが「００００１０１１」の時に、このパック構成とされる。ＰＣ１の下位２ビット目からＰＣ３のＭＳＢにかけて２進数で絶対トラック番号が、また、ＰＣ１のＬＳＢにはブランクフラグＢＦが記される。ＢＦが０の時には、この絶対トラック番号がテープの最初から連続した番号でないことを示す。一方、ＢＦが１の時には、この絶対トラック番号がテープの最初から連続した番号であることを示す。
【００４８】
ＰＣ４のＭＳＢにはテキストフラグが、次の１ビットにはテンポラリートルーフラグＴＴが、また、下位４ビットにはタグＩＤがそれぞれ記される。テキストフラグはＭＩＣ内でのみ有効であり、このフラグが０の時にはテキスト情報があることを、１の時にはテキスト情報がないことをそれぞれ示す。テンポラリートルーフラグＴＴはＭＩＣ内でのみ有効であり、０の時にはＭＩＣ内のイベントデータと実際にテープ上に記録されているプログラムとが一致しない可能性があることを、１の時にはＭＩＣ内のイベントデータとテープ上の記録内容とが一致していることをそれぞれ示す。タグＩＤは、「００００」でインデックスを、「０００１」でスキップスタートを、「００１０」でフォトをそれぞれ示す。インデックスでは、インデックス打ち込みをした位置情報が記録される。スキップスタートでは、次のインデックスまでスキップして、そこからスタートする。フォトでは、静止画記録した位置情報が記録される。
【００４９】
また、タグＩＤが「００１１」でプログラムプレイスタートを、「０１００」でゾーンプレイを、「０１０１」でスチル画（映像は静止画で音声なし。一定時間後に解除）を、「０１１０」でフリーズ画（映像は静止画で音声は通常再生。一定時間後に解除）を、「０１１１」で最新の録画終了点を、「１０００」で日付変化点を、「１００１」で時間変化点を、「１０１０」で記録開始位置を、「１０１１」で再生開始位置をそれぞれ示す。なお、その他の場合はリザーブとされる。
【００５０】
図２６は、テープ上のエリアを表すゾーンエンドパックの構成を示す。ヘッダーが「００００１１１１」の時に、このパック構成とされる。ＰＣ１の下位２ビット目からＰＣ３のＭＳＢにかけて２進数で絶対トラック番号が、また、ＰＣ１のＬＳＢには上述のブランクフラグＢＦが記される。ＰＣ４には、タグ制御データが記される。このデータの上位２ビットが０１の時には１回再生、１０の時には２回再生、１１の時には、入力が与えられるまでの繰り返し再生と規定される。さらに、残りの６ビットは上位３ビットと下位３ビットとに分かれており、上位３ビットはＦモード（Ｆｏｒｗａｒｄ  Ｐｌａｙ  Ｍｏｄｅ）を、下位３ビットはＲモード（Ｒｅｖｅｒｓｅ  Ｐｌａｙ  Ｍｏｄｅ  ）をそれぞれ意味する。
【００５１】
Ｆモードは、「０００」でオペレーションなし、「００１」で再生、「０１０」でスロー再生、「０１１」でキュー、「１００」で早送り、「１０１」でストロボ再生、「１１０」〜「１１１」でリザーブとそれぞれ定義されている。また、Ｒモードは、「０００」でオペレーションなし、「００１」で巻き戻し再生、「０１０」で巻き戻しスロー再生、「０１１」でレビュー、「１００」で巻き戻し、「１０１」でリバースストロボ再生、「１１０」〜「１１１」でリザーブとそれぞれ定義されている。
【００５２】
図２７は、タイトル開始位置を表すタイトルスタートパックの構成を示す。ヘッダーが「０００１１０１１」の時に、このパック構成とされる。ＰＣ１の下位２ビット目からＰＣ３のＭＳＢにかけて２進数で絶対トラック番号が、また、ＰＣ１のＬＳＢには上述のテンポラリートルーフラグＴＴが記される。この絶対トラック番号は、テープ上におけるタイトルの開始位置を示す。ＰＣ４のＭＳＢには上述のテキストフラグが、ＰＣ４のその他の７ビットにはジャンルカテゴリーがそれぞれ記される。ジャンルカテゴリーは、例えば、映画、ニュース、野球、ゴルフというような記録内容のジャンルを示すコードである。
【００５３】
図２８は、タイトル終了位置を表すタイトルエンドパックの構成を示す。ヘッダーが「０００１１１１１」の時に、このパック構成とされる。ＰＣ１の下位２ビット目からＰＣ３にかけて、テープ上のタイトルの終了位置を表す絶対トラック番号が記される。ＰＣ４のＭＳＢにはＳＬフラグが、次の１ビットにはＲＥ（Ｒｅｃｏｒｄｉｎｇ  ｐｒｏｏｆｅｄ  ｅｖｅｒｎｔｓ  Ｅｘｉｓｔｓ）フラグがそれぞれ記される。ＳＬフラグが０の時にはＬＰモードとされ、また、１の時にはＳＰモードとされる。ＲＥフラグは、ＭＩＣのみに有効であり、０の時にはテープ上に消去不可能なイベントが存在することを、１の時には消去不可能なイベントが存在しないことをそれぞれ示す。
【００５４】
図２９は、チャプターの開始位置を表すチャプタースタートパックの構成を示す。ヘッダーが「００１０１０１１」の時に、このパック構成とされる。データの内容は上述のタイトルスタートパックと同じである。
【００５５】
図３０は、チャプターの終了位置を表すチャプターエンドパックの構成を示す。ヘッダーが「００１０１１１１」の時に、このパック構成とされる。ＰＣ１の下位２ビット目からＰＣ３のＭＳＢにかけて、テープ上のチャプターの終了位置を示す絶対トラック番号が記される。
【００５６】
図３１は、パートの開始位置を表すパートスタートパックの構成を示す。ヘッダーが「００１１１０１１」の時に、このパック構成とされる。データの内容は、タイトルスタートパックやチャプタースタートパックと同じである。ここで、タイトル、チャプター、パートは階層構造となっており、タイトルが最上位階層で、チャプターは中位階層、パートは最下位階層である。パート、チャプターはソフトテープでのみ使われる。
【００５７】
図３２は、パートの終了位置を表すパートエンドパックの構成を示す。ヘッダーが「００１１１１１１」の時に、このパック構成とされる。ＰＣ１の下位２ビット目からＰＣ３のＭＳＢにかけて、テープ上のパートの終了位置を示す絶対トラック番号が記される。
【００５８】
図３３は、プログラムの開始位置を表すプログラムスタートパックの構成を示す。ヘッダーが「０１００１０１１」の時に、このパック構成とされる。データの内容は、タイトルスタートパック、チャプタースタートパック及びパートスタートパックと同じである。
【００５９】
図３４は、プログラムの終了位置を表すプログラムエンドパックの構成を示す。ヘッダーが「０１００１１１１」の時に、このパック構成とされる。ＰＣ１の下位２ビット目からＰＣ３のＭＳＢにかけて、テープ上のプログラムの終了位置を示す絶対トラック番号が記される。ＰＣ１のＬＳＢには、ブランクフラグＢＦが記される。ＰＣ４のＭＳＢにはＳＬフラグが、次の１ビットにはＲＰ（Ｒｅｃｏｒｄｉｎｇ  Ｐｒｏｏｆ  ）フラグが、次の１ビットにはＰＹ（Ｐｌａｙｅｄ）フラグが、次の３ビットにはこのプログラムイベントに関連するテキストイベントの総数を示すＴＮＴ（Ｔｏｔａｌ  Ｎｕｍｂｅｒ  ｏｆ  Ｔｅｘｔ  ｅｖｅｎｔｓ  ）がそれぞれ記される。ＲＰフラグは、ＭＩＣのみに有効であり、この値が０の時にはこのプログラムの消去は不可とされ、１の時には消去可能とされる。ＰＹフラグはＭＩＣのみに有効であり、０の時にはこのプログラムが既に再生されたことを示し、１の時にはまだ再生されていないことを示す。
【００６０】
図３５は、ＡＡＵＸの開始位置を表すＡＡＵＸスタートパックの構成を示す。ヘッダーが「０１０１１０１１」の時に、このパック構成とされる。データの内容は、他のスタートパックと同じである。
【００６１】
図３６は、ＡＡＵＸの終了位置を表すＡＡＵＸエンドパックの構成を示す。ヘッダーが「０１０１１１１１」の時に、このパック構成とされる。ＰＣ１の下位２ビット目からＰＣ３のＭＳＢにかけて、テープ上のＡＡＵＸイベントの終了位置を示す絶対トラック番号が記される。ＰＣ１のＬＳＢには、ブランクフラグＢＦが記される。ＰＣ４の３ビット目から５ビット目にかけて、ＡＡＵＸイベントに関連するテキストイベントの総数を示すＴＮＴが記される。
【００６２】
図３７は、ＶＡＵＸの開始位置を表すＶＡＵＸスタートパックの構成を示す。ヘッダーが「０１１０１０１１」の時に、このパック構成とされる。データの内容は、ＡＡＵＸスタートパックと同じである。
【００６３】
図３８は、ＶＡＵＸの終了位置を表すＶＡＵＸエンドパックの構成を示す。ヘッダーが「０１１０１１１１」の時に、このパック構成とされる。データの内容は、ＡＡＵＸエンドパックと同じである。
【００６４】
図３９は、テープ上のラインの開始位置を表すラインスタートパックの構成を示す。ヘッダーが「１０００１０１１」の時に、このパック構成とされる。データの内容は、ＡＡＵＸスタートパックと同じである。
【００６５】
図４０は、テープ上のラインの終了位置を表すラインエンドパックの構成を示す。ヘッダーが「１０００１１１１」の時に、このパック構成とされる。データの内容は、ＡＡＵＸエンドパックと同じである。
【００６６】
以下、上述で説明したパックの使用例を説明する。図４１は、記録済のデータに対してオーディオのアフレコを行う場合の例を示す。図４１において、オーディオエリアは、オーディオ１エリア及びオーディオ２エリアに分割されている。また、ビデオエリアにはプログラム１とプログラム２のビデオデータが、オーディオ１エリアにはプログラム１とプログラム２のオーディオデータがそれぞれ既に記録されているものとする。各プログラムの開始点にはプログラムスタートパックが、終了点にはプログラムエンドパックが用いられる。そして、ＭＩＣ内には既に各々のプログラムイベントが記憶されている。つまり、プログラムスタートパックとプログラムエンドパックのペアが２組記憶されている。このペアがプログラムイベントを１つ構成する。
【００６７】
ここで、アフレコを行う場合には、オーディオ２エリアが使用される。また、アフレコの開始点にはＡＡＵＸスタートパックが、終了点にはＡＡＵＸエンドパックがそれぞれ用いられる。これらのパックがＡＡＵＸイベントとしてＭＩＣに記録される。ここで、オーディオのアフレコは、オーディオに関するものなのでＡＡＵＸパックが用いられる。
【００６８】
図４２は、記録済の映像に対して新たな映像をインサートする場合の例を示す。図４２において、プログラム１とプログラム２のビデオデータ及びオーディオデータは、既に記録されているものとする。また、そのテープ上への記録と共に、ＭＩＣ内にはプログラムスタートパック及びプログラムエンドパックのペアが２組記憶されている。インサートを行うと、インサート開始点及び終了点のトラック番号は、それぞれＶＡＵＸスタートパック及びＶＡＵＸエンドパックが用いられてＭＩＣ内に記憶される。これらのパックがＶＡＵＸイベントとしてＭＩＣに記録される。ここで、インサートは、映像に関するものなのでＶＡＵＸパックが用いられる。
【００６９】
図４３は、図４１で示したようなアフレコを行った後のＭＩＣ内のオプショナルエリアを表した図である。この例では、１つのプログラムに対してアフレコを行った場合である。プログラムイベントは、先頭からプログラムスタートパック、プログラムエンドパック、記録日時パック、ＶＡＵＸソースパックの順で記憶され、ＡＡＵＸイベントは、先頭からＡＡＵＸスタートパック、ＡＡＵＸエンドパック、記録日時パックＡＡＵＸソースパックの順で記憶される。
【００７０】
このように、ＡＡＵＸのイベントヘッダー及びＶＡＵＸのイベントヘッダーを定義することにより、オーディオのアフレコやビデオインサートをした場合、そのアフレコ開始点やインサート開始点をＭＩＣに記憶できるので、その位置を容易にサーチすることが可能となる。
【００７１】
次に、映像信号中のＶブランキング期間で送出されてくるデータ（ＶＩＴＳ信号、ＶＩＲ信号、医療用信号等）を上述のパックを用いて記録する場合について説明する。なお、ＶＩＴＳ信号（Ｖｉｄｅｏ  Ｉｎｔｅｒｖａｌ  Ｔｅｓｔ  Ｓｉｇｎａｌ）  は、カラーＴＶ送信機の調整や保守のための測定信号として用いられる。また、ＶＩＲ信号（Ｖｉｄｅｏ  Ｉｎｔｅｒｖａｌ  Ｒｅｆｅｒｅｎｃｅ  ｓｉｇｎａｌ）は、マイクロ回線、中継車、ＶＣＲ再生等の歪みを起こす全てに適用され、ルミナンスレベル、同期レベル、クロマレベル等の基準信号として用いられる。
【００７２】
以下、Ｖブランキング期間で送出されてくるデータに関して詳述する。現在、文字放送信号は、図４４に示すように、テレビジョン信号のＶブランキング内の１４、１５、１６、２１Ｈ（奇数フィールド）と、２７７、２７８、２７９、２８４Ｈ（偶数フィールド）の計８ラインに重畳されて送られている。
【００７３】
テレビジョン信号中でのＶブランキング期間内の情報のうち、放送局から送られてくるものとしては、文字多重放送信号、ＶＩＴＳ信号及びＶＩＲ信号等の放送局の運用信号、難視聴者のためのＣＬＯＳＥＤ  ＣＡＰＴＩＯＮ情報、ＶＣＲにおける自動録画予約のためのＶＰＴ信号、ＰＤＣ信号等である。また、市販のソフトテープにおいては、ダビング防止のための信号や、ＶＢＩＤ（ソフトテープの識別コード）等がＶブランキングに重畳される。さらに、特殊な用途として、医療用ＶＣＲにおいては、Ｖブランキングのみならず、有効走査エリアにも、他の機器の制御情報やパラメータ等の信号が重畳されている。
【００７４】
また、この実施例の画像圧縮方式ディジタルＶＣＲは、原則的に有効走査期間の映像信号のみを記録し、Ｖブランキング期間内の信号は記録しないように構成されているので、これを業務用ＶＣＲとして使用する場合には、Ｖブランキング期間内に送られてくる情報についても何らかの方法で記録しておいて、再生時においてもとのテレビジョン信号を完全に復元する必要があり、これを実現する方法としてラインパックの使用が好適となる。ラインパックは、Ｖブランキングの情報のみならず、有効走査期間の情報も記録可能となっており、本願出願人は、平成５年６月８日付の特願平６−１６４３０７号でこのラインパックについて提案した。
【００７５】
なお、ＶＩＴＳ信号やＶＩＲ信号は、１フレーム毎に変化するデータではないので、これらのデータを記録する場合には、これらの信号を各フレーム毎に毎回記録する代わりに、最初のフレームのときに１回のみ記録し、あとはこの信号が更新される度に記録するようにする。再生時にはこれを反復利用して再生映像信号の各フレームへ挿入するようにすれば、テープの付随情報記録領域の消費量を削減することができる。
【００７６】
ところで、この発明が適用されるディジタルＶＣＲが記録せずにＶブランキングとして扱っているエリアと、テレビジョン信号で定義されているＶブランキング期間とは一致していない。つまり、ＮＴＳＣ方式について言えば、図４４からも明らかなように、前者のＶブランキング期間の方が後者のＶブランキング期間より広くなっている。これは、テレビ画面において、２２Ｈや２６３Ｈ、５２５Ｈというラインは、殆ど見えない部分なので、テープ消費量を少なくするために、このラインのデータは記録されていない。しかし、このディジタルＶＣＲを業務用に使用する場合には、上記の垂直帰線消去期間内の情報を記録して復元するだけでなく、図４４に示すように、２２Ｈ、２６３Ｈ及び５２５Ｈに存在する映像信号も記録して復元する必要があり、このような場合には、以下に説明するようにラインパックを使用して記録を行うようにする。
【００７７】
以下、ラインパックを用いて、Ｖブランキング期間のデータを記録する場合について図４５及び図４６を参照して説明する。図４５は、Ｖブランキング期間内のＶＩＴＳ信号、ＶＩＲ信号及び医療用信号をラインパックを用いて記録した場合のＶＡＵＸエリアを示す。ＶＩＴＳ信号やＶＩＲ信号は、上述のように１フレーム毎に変化する信号ではないので、図示するように、最初の数フレームにはＶＩＴＳ信号を、次の数フレームにはＶＩＲ信号を記録するようにする。医療用信号も１フレーム毎に変化するものでなければ同じ扱い方をすることができる。ここでは、医療用信号も１フレーム毎に変化しないものとする。各信号（ＶＩＴＳ信号、ＶＩＲ信号及び医療用信号）の記録開始点の位置情報をＭＩＣに記憶する場合には、ラインスタートパックが用いられる。また、各信号の終了点の位置情報を記憶させる時にはラインエンドパックが用いられる。
【００７８】
図４６は、図４５のようにＶブランキング期間内におけるデータがテープ上のＶＡＵＸエリアに記録された場合において、ＭＩＣに記憶されたパックの様子を示す。まず、ＶＩＴＳ信号の開始点を示すラインスタートパックが記憶され、次にＶＩＴＳ信号の終了点を示すラインエンドパックが記憶される。その次に、ＶＩＲ信号の開始点を示すラインスタートパックが記憶され、次にＶＩＲ信号の終了点を示すラインエンドパックが記憶される。ＶＩＲ信号の次に医療用信号がテープ上のＶＡＵＸエリアに記録された場合には、医療用信号の開始点を示すラインスタートパックが、次に医療用信号の終了点を示すラインエンドパックが記憶される。なお、各信号のラインスタートパックにおいて、ＰＣ４のＭＳＢ（テキストフラグ）が０であるので、各信号に関しての文字情報が存在することとなる。
【００７９】
この文字情報は、医療用信号の終了点を示すラインエンドパックの後に記憶され、可変長のラインテキストヘッダーパックに続くラインテキストパックに記憶される。１番目のラインテキストヘッダーパックには「ＶＩＴＳ」という文字コードが、２番目のラインテキストヘッダーパックには「ＶＩＲ」という文字コードが、また、３番目のラインテキストヘッダーパックには「医療用信号」という文字コードがそれぞれ記憶される。
【００８０】
このように、文字情報を記録することによって、テープ上のどの領域にどのようなＶブランキングデータが記録されているのかを容易に判別することができる。また、ラインイベントにより、例えばＶＣＲ調整用の情報をＶブランキングデータとしてラインパックを用いてテープ上に記録しておき、ＶＣＲ調整時にＭＩＣに記憶されたラインスタートパックのトラック番号を参照することにより、必要とする調整データを瞬時にサーチして調整を行うことが可能となる。
【００８１】
図４７は、ＭＩＣマイコンがイベントヘッダーを認識する過程を示したフローチャートである。なお、イベントとしては、タイマー予約イベント、メーカーズオプショナルイベント、テキストイベント、タグイベント、チャプターイベント、パートイベント、プログラムイベント、ＡＡＵＸイベント、ＶＡＵＸイベント及びラインイベント等がある。図４７において、ステップ５１で先頭パックのパックヘッダーＰＣ０がチェックされる。その後、パックヘッダーの下位４ビットの値＝「１０１１」であるか否かがステップ５２で判別される。下位４ビットの値＝「１０１１」の場合には、ヘッダーの上位４ビットが参照され、イベントの判別がなされる。イベント判別が終了すると、次に記憶されたパックを判別するために、５バイト先に進み（ステップ５４）、処理はステップ５１に戻る。
【００８２】
一方、ステップ５２において、下位４ビットの値＝「１０１１」でない場合には、処理はステップ５５に進む。ステップ５５では、パックヘッダー値＝「０２ｈ」であるか否かが判別される。パックヘッダー値＝「０２ｈ」の場合、タイマー予約イベントと判別され（ステップ５６）、処理はステップ５４に進む。
【００８３】
ステップ５５において、パックヘッダー値＝「０２ｈ」でない場合には、処理はステップ５７に進む。ステップ５７では、パックヘッダー値＝「Ｆ０ｈ」であるか否かが判別される。パックヘッダー値＝「Ｆ０ｈ」の場合、その先頭パックはメーカーズオプショナルイベントと判別され（ステップ５８）、処理はステップ５４に進む。一方、ステップ５７でパックヘッダー値＝「Ｆ０ｈ」でない場合には、処理はステップ５９に進む。ステップ５９では、ヘッダーの下位４ビットが「１０００」であるか否かが判別される。下位４ビットの値＝「１０００」でない場合、処理はステップ５４に進む。一方、下位４ビットの値＝「１０００」の場合、処理はステップ６０に進む。下位４ビットが１０００の時には、上位ビットの値にかかわらず、全てテキストヘッダーなのでテキストイベントと判断される。テキストデータ分だけスキップ（ステップ６１）した後に、次のイベントヘッダーが何であるかを判別するために、処理はステップ５１に戻る。
【００８４】
図４８、図４９及び図５０は、この発明が適用されたディジタルＶＣＲのブロック図である。このディジタルＶＣＲでは、コンポジットカラービデオ信号がディジタル輝度信号Ｙ、色差信号Ｒ−Ｙ及びＢ−Ｙに分離され、ＤＣＴ変換と可変長符号を用いた高能率符号化方式により圧縮されて記録される。そして、上述のＭＩＣを用いてＶブランキング期間のデータが記録されるようになっている。
【００８５】
図４８において、アンテナ１でテレビジョン電波信号が受信される。アンテナ１で受信された信号がチューナー部２に供給される。チューナー部２で、このテレビジョン信号からＮＴＳＣ方式やＰＡＬ方式等のコンポジットカラービデオ信号とオーディオ信号が復調される。このチューナー部２からのコンポジットビデオ信号がスイッチ３ａに供給され、オーディオ信号がスイッチ３ｂに供給される。
【００８６】
また、外部ビデオ入力端子４にアナログコンポジットビデオカラービデオ信号が供給される。この外部ビデオ入力端子４からのコンポジットビデオ信号がスイッチ３ａに供給される。外部オーディオ入力端子５にアナログオーディオ信号が供給される。このアナログオーディオ信号がスイッチ３ｂに供給される。
【００８７】
スイッチ３ａで、チューナー部２からのコンポジットビデオ信号と外部ビデオ入力端子４からのコンポジットビデオ信号とが選択される。スイッチ３ａの出力がＹ／Ｃ分離回路６に供給されると共に、同期分離回路１１に供給される。Ｙ／Ｃ分離回路６で、コンポジットビデオ信号から、輝度信号（Ｙ）と色差信号（Ｒ−Ｙ、Ｂ−Ｙ）とが分離される。
【００８８】
Ｙ／Ｃ分離回路６からの輝度信号（Ｙ）及び色差信号（Ｒ−Ｙ、Ｂ−Ｙ）は、ローパスフィルタ７ａ、７ｂ、７ｃを介してＡ／Ｄ変換器８ａ、８ｂ、８ｃに供給される。ローパスフィルタ７ａ、７ｂ、７ｃは、折り返し歪みを除去するために、入力信号を帯域制限するものである。ローパスフィルタ７ａ、７ｂ、７ｃの遮断周波数は、例えば輝度信号（Ｙ、サンプリング周波数１３．５ＭＨｚ（４のレート））に対して５．７５ＭＨｚ、色差信号（Ｒ−Ｙ、Ｂ−Ｙ）に対しては、サンプリング周波数６．７５ＭＨｚ（２のレート）で２．７５ＭＨｚ、サンプリング周波数３．３７５ＭＨｚ（１のレート）で１．４５ＭＨｚに設定される。
【００８９】
同期分離回路１１で、垂直同期信号（Ｖシンク）と、水平同期信号（Ｈシンク）とが抽出される。同期分離回路１１からの垂直同期信号（Ｖシンク）及び水平同期信号（Ｈシンク）は、ＰＬＬ（Ｐｈａｓｅ  Ｌｏｃｋｅｄ  Ｌｏｏｐ  ）回路１２に供給される。このＰＬＬ回路１２で、入力ビデオ信号にロックした基本サンプリング周波数１３．５ＭＨｚのクロックが形成される。なお、この１３．５ＭＨｚのサンプリング周波数は、上述のように４のレートと呼ばれる。この基本サンプリング周波数１３．５ＭＨｚのクロックがＡ／Ｄ変換器８ａに供給される。また、この基本サンプリング周波数１３．５ＭＨｚのクロックは分周器１３に供給され、分周器１３で基本サンプリング周波数の１／４の周波数のクロックが形成される。この基本サンプリング周波数の１／４の周波数のクロック（１のレート）がＡ／Ｄ変換器８ｂ及び８ｃに供給される。
【００９０】
Ａ／Ｄ変換器８ａ、８ｂ、８ｃからのディジタルコンポーネントビデオ信号Ｙ、Ｒ−Ｙ、Ｂ−Ｙは、ブロックキング回路９に供給される。ブロッキング回路９で、実画面上のデータが８サンプル×８ラインのブロックとなるように処理される。ブロッキング回路９の出力がシャフリング回路１０に供給され、シャフリングされる。シャフリングは、ヘッドのクロッグやテープの横傷等でテープ上に記録したデータが集中的に失われるのを回避するために行われる。同時に、シャフリング回路１０では、輝度信号及び色差信号を後段で処理し易いように、並べ替えを行う。
【００９１】
シャフリング回路１０の出力がデータ圧縮符号化部１４に供給される。データ圧縮符号化部１４は、ＤＣＴ方式や可変長符号化を用いた圧縮回路、その結果を所定のデータ量まで圧縮できたかを見積もる見積器、その判別結果を基に最終的に量子化する量子化器からなる。こうして圧縮されたビデオデータは、フレーミング回路１５で、所定のシンクブロック中に所定の規則に従って詰め込まれる。フレーミング回路１５の出力が合成回路１６に供給される。
【００９２】
一方、スイッチ３ｂで、チューナー部２からのオーディオ信号と外部オーディオ信号入力端子５からのオーディオ信号とが選択される。スイッチ３ｂの出力がＡ／Ｄ変換器２１に供給される。Ａ／Ｄ変換器２１で、アナログオーディオ信号がディジタル化される。このようにして得られたディジタルオーディオ信号は、シャフリング回路２２に供給される。シャフリング回路２２で、ディジタルオーディオデータがシャフリングされる。このシャフリング回路２２の出力がフレーミング回路２３に供給される。フレーミング回路２３で、このオーディオデータがオーディオのシンクブロック内に詰め込まれる。フレーミング回路２３の出力が合成回路２４に供給される。
【００９３】
モード処理マイコン３４は、マンマシンインターフェースを取り持つマイコンであり、テレビジョン画像のフィールド周波数６０Ｈｚ又は５０Ｈｚに同期して動作している。信号処理マイコン２０は、よりマシンに近い側で動作させるので、例えばドラムの回転数９０００ｒｐｍ及び１５０Ｈｚに同期して動作している。
【００９４】
モード処理マイコン３４で、ビデオ予備データＶＡＵＸ、オーディオ予備データＡＡＵＸ、サブコードの各パックデータが生成され、「タイトルエンド」パック等に含まれる絶対トラック番号が信号処理マイコン２０で生成される。サブコード内に格納するＴＴＣ（タイムタイトルコード）も、この信号処理マイコン２０で生成される。
【００９５】
信号処理マイコン２０で生成されたビデオ予備データＶＡＵＸは、ＶＡＵＸ回路１７を介して、合成回路１６に供給される。合成回路１６で、フレーミング回路１５の出力に、ビデオ予備データＶＡＵＸが合成される。また、信号処理マイコン２０で発生されたオーディオ予備データＡＡＵＸは、ＡＡＵＸ回路１９を介して、合成回路２４に供給される。合成回路２４で、フレーミング回路２３の出力に、オーディオ予備データＡＡＵＸが合成される。合成回路１６及び２４の出力がスイッチ２６に供給される。また、信号処理マイコン２０の出力に基づき、サブコード回路１８で、ＩＤ部のデータＳＩＤとＡＰ３、それにサブコードパックデータＳＤＡＴＡが生成され、これらがスイッチ２６に供給される。また、シンク発生回路２５で、ＡＶ（オーディオ／ビデオ）の各ＩＤ部と、プリシンク及びポストシンクがそれぞれ生成され、これがスイッチ２６に供給される。また、回路２５でＡＰ１、ＡＰ２が生成され、これが所定のＩＤ部にはめ込まれる。スイッチ２６により、回路２５の出力と、ＡＤＡＴＡ、ＶＤＡＴＡ、ＳＩＤ、ＳＤＡＴＡとが所定のタイミングで切り替えられる。
【００９６】
スイッチ回路２６の出力がエラー訂正符号生成回路２７に供給される。エラー訂正符号生成回路２７で、所定のパリティが付加される。エラー訂正符号生成回路２７の出力が乱数化回路２９に供給される。乱数化回路２９で、記録データに偏りが出ないように乱数化が行われる。乱数化回路２９の出力が２４／２５変換回路３０に供給され、２４ビットのデータが２５ビットに変換される。これにより、磁気記録再生時に問題となる直流分が取り除かれる。ここで、更に図示せずもディジタル記録に適したＰＲＩＶ（パーシャルレスポンス、クラス４）のコーディング処理（１／１−Ｄ２  ）も合わせて行われる。
【００９７】
２４／２５変換回路３０の出力が合成回路３１に供給される。合成回路３１で、２４／２５変換回路３０の出力に、オーディオ／ビデオ、サブコードのシンクパターンが合成される。合成回路３１の出力がスイッチ３２に供給される。
【００９８】
また、ＶＣＲ全体のモード管理を行うモード処理マイコン３４から、ＡＰＴ、ＳＰ／ＬＰ、ＰＦの各データが出力され、これがＩＴＩ回路３３に供給される。ＩＴＩ回路３３からは、ＩＴＩセクターのデータが発生される。スイッチ３２は、これらのデータとアンブルパターンを、タイミングを見て切り替えている。
【００９９】
スイッチ３２により切り替えられたデータは、更に、スイッチ３５により、ヘッドの切り替えタイミングに応じて切り替えられる。スイッチ３５の出力がヘッドアンプ３６ａ、３６ｂにより増幅され、ヘッド３７ａ、３７ｂに供給される。
【０１００】
スイッチ４０は、ＶＣＲ本体の外部スイッチで、記録、再生等を指示するスイッチ群である。この中には、ＳＰ／ＬＰの記録モードを設定するスイッチがあり、その結果は、メカ制御マイコン２８や信号処理マイコン２０に指示される。モード処理マイコン３４には、ＭＩＣマイコン３８が接続される。このＭＩＣマイコン３８で、ＡＰＭやＭＩＣ内のパックデータが生成される。このデータは、ＭＩＣ接点３９を介して、ＭＩＣ付きカセット４１に供給される。
【０１０１】
このように、この発明が適用されたディジタルＶＣＲでは、ディジタル輝度信号（Ｙ）、色差信号（Ｒ−Ｙ、Ｂ−Ｙ）が圧縮されてビデオセクターに記録され、ディジタルオーディオ信号がオーディオセクターに記録される。また、ＶＡＵＸ、ＡＡＵＸが記録できる。ＶＡＵＸのデータ及びＡＡＵＸのデータは、パック構造で記録される。
【０１０２】
次に、この発明が適用されたディジタルＶＣＲの再生側の構成について図４９及び図５０図を参照して説明する。図４９において、ヘッド１０１ａ、１０１ｂから得られる信号は、ヘッドアンプ１０２ａ、１０２ｂで増幅され、スイッチ１０３で切り替えられる。スイッチ１０３の出力がイコライザー回路１０４に供給される。記録時にテープと磁気ヘッドとの電磁変換特性を向上させるため、所謂エンファシス処理（例えばパーシャルレスポンス、クラス４）を行っているが、イコライザー回路１０４はその逆処理を行うものである。
【０１０３】
イコライザー回路１０４の出力がＡ／Ｄ変換器１０６に供給されると共に、クロック抽出回路１０５に供給される。クロック抽出回路１０５によりクロック成分が抽出される。この抽出クロックで、イコライザー回路１０４の出力がＡ／Ｄ変換器１０６を用いてディジタル化される。こうして得られた１ビットデータがＦＩＦＯ１０７に書き込まれる。
【０１０４】
ＦＩＦＯ１０７の出力がシンクパターン検出回路１０８に供給される。シンクパターン検出回路１０８には、スイッチ１０９を介して、各エリアのシンクパターンが供給される。スイッチ１０９は、タイミング回路１１３で切り替えられる。シンクパターン検出回路１０８は、所謂フライホイール構成となっており、一度シンクパターンを検出すると、それから所定のシンクブロック長後に再び同じシンクパターンが来るかどうかをみている。これが例えば３回以上正しければ真とみなすような構成にして、誤検出を防いでいる。
【０１０５】
こうしてシンクパターンが検出されると、ＦＩＦＯ１０７の各段の出力からどの部分を抜き出せば一つのシンクブロックが取り出せるか、そのシフト量が決定されるので、それを基にスイッチ１１０により必要なビットがシンクブロック確定ラッチ１１１に取り込まれる。これにより、取り込んだシンク番号が抽出回路１１２で取り出され、タイミング回路１１３に入力される。この読み込んだシンク番号により、トラック上のどの位置にヘッドが存在するのかが分かるので、それにより、スイッチ１０９やスイッチ１１４が切り替えられる。
【０１０６】
スイッチ１１４は、ＩＴＩセクターの時に下側に切り替えられており、分離回路１１５によりＩＴＩシンクパターンが分離され、ＩＴＩデコーダ１１６に供給される。ＩＴＩのエリアは、コーディングして記録してあるので、それをデコードすることにより、ＡＰＴ、ＳＰ／ＬＰ、ＰＦの各データを取り出せる。これは、セット外部の操作キー１１８に繋がれている、セット全体の動作モード等を決めるモード処理マイコン１１７に与えられる。
【０１０７】
モード処理マイコン１１７には、ＡＰＭ等を管理するＭＩＣマイコン１１９が繋がっている。ＭＩＣ付きカセット１２１からの情報は、ＭＩＣ接点１２０を介してこのＭＩＣ付きマイコン１１９に与えられ、モード処理マイコン１１７と役割分担しながら、ＭＩＣの処理を行う。セットによっては、このＭＩＣマイコンは省略され、モード処理マイコン１１７でＭＩＣ処理を行う場合もある。モード処理マイコン１１７は、メカ制御マイコン１２８や信号処理マイコン１５１と連携を取って、セット全体のシステムコントロールを行う。
【０１０８】
Ａ／Ｖセクターやサブコードセクターの時には、スイッチ１１４は上側に切り替えられている。分離回路１２２により各セクターのシンクパターンを抜き出した後、２４／２５逆変換回路１２３を通して、更に逆乱数化回路１２４に供給し、元のデータ列に戻される。こうして取り出されるデータがエラー訂正回路１２５に供給される。
【０１０９】
エラー訂正回路１２５では、エラーデータの検出、訂正が行われる。訂正不能なデータには、エラーフラグを付けて出力される。各データは、スイッチ１２６により切り替えられる。
【０１１０】
回路１２７は、Ａ／ＶセクターのＩＤ部と、プリシンク、ポストシンクの各シンクを担当するもので、ここで、シンク番号、トラック番号それにプリシンク、ポストシンクの各シンクに格納されていたＳＰ／ＬＰの各信号が抜き出される。これらは、タイミング回路１１３に与えられ各種タイミングを作り出す。
【０１１１】
更に、回路１２７でＡＰ１、ＡＰ２が抜き出され、それがモード処理マイコンに渡され、フォーマットがチェックされる。ＡＰ１、ＡＰ２＝０００の時には、それぞれ、エリア２が画像データエリアとして定義され、通常どうり動作されるが、それ以外の時には、警告処理等のウォーニング動作が行われる。
【０１１２】
ＳＰ／ＬＰについては、ＩＴＩから得られたものと比較検討がモード処理マイコン１１７で行われる。ＩＴＩエリアには、その中のＴＩＡエリアに３回ＳＰ／ＬＰ情報が書かれており、それだけで多数決処理等により信頼性が高められている。プリシンクは、オーディオ及びビデオにそれぞれ２シンクづつあり，計４箇所ＳＰ／ＬＰ情報が書かれている。ここにも、そこだけで多数決が取られ、信頼性が高められる。そして、最終的に両者が一致しない場合には、ＩＴＩエリアのものを優先して採用する。
【０１１３】
ビデオセクターからの再生データは、図５０のスイッチ１２９によりビデオデータとＶＡＵＸデータに切り分けられる。ビデオデータは、エラーフラグと共にデフレーミング回路１３０に供給される。デフレーミング回路１３０は、フレーミングの逆変換をするところである。
【０１１４】
画像データは、データ逆圧縮符号化部に供給される。つまり、逆量子化回路１３１、逆圧縮回路１３２を通して、圧縮前のデータに戻される。次にデシャフリング回路１３３及びデブロッキング回路１３４により、データが元の画像空間配置に戻される。
【０１１５】
デシャフリング以降は、輝度信号（Ｙ）と色差信号（Ｒ−Ｙ、Ｂ−Ｙ）の３系統に分けて処理が行われる。そして、Ｄ／Ａ変換器１３５ａ、１３５ｂ、１３５ｃにより、アナログ信号に戻される。この時、発振回路１３９と分周器１４０で分周した出力が用いられる。つまり、輝度信号（Ｙ）は１３．５ＭＨｚ、色差信号Ｒ−Ｙ、Ｂ−Ｙは６．７５ＭＨｚ又は３．３７５ＭＨｚが用いられる。
【０１１６】
こうして得られた信号は、Ｙ／Ｃ合成回路１３６で合成され、同期信号発生回路１４１の同期信号出力と合成回路１３７にてさらに合成される。そして、コンポジットビデオ信号として出力端子１４２から出力される。
【０１１７】
オーディオセクターからの再生データは、スイッチ１４３によりオーディオデータとＡＡＵＸデータに切り分けられる。オーディオデータは、次のデシャフリング回路１４５で元の時間軸上に戻される。この時、必要に応じて、エラーフラグを基にオーディオデータの補間処理が行われる。この信号は、Ｄ／Ａ変換器１４６に供給され、アナログオーディオ信号に戻される。そして、画像データとリップシンク等のタイミングを取りながら、出力端子１４７から出力される。
【０１１８】
スイッチ１２９及び１４３により切り分けられたＶＡＵＸ、ＡＡＵＸの各データは、ＶＡＵＸ回路１４８、ＡＡＵＸ回路１５０に供給されて、エラーフラグを参照しながら、多数回書き時の多数決処理等の前処理が行われる。サブコードセクターのＩＤ部とデータ部は、サブコード回路１４９に供給される。ここでも、エラーフラグを参照しながら多数決処理等の前処理が行われる。その後、信号処理マイコン１５１に供給され、最終的な読み取り動作が行われる。
【０１１９】
【発明の効果】
この発明に依れば、ビデオインサートの時に、ＶＡＵＸイベントを用いてインサートされたビデオデータの開始ポイント及び終了ポイントを記録する。また、オーディオアフレタ時に、ＡＡＵＸイベントを用いてアフレコされたオーディオデータの開始ポイント及び終了ポイントを記録する。さらに、ラインイベントを用いて画像に付随する信号の記録開始ポイント及び終了ポイントを記録する。これにより、インサートビデトデータ、アフレコオーディオデータ及び画像に付随する信号を容易にサーチすることができる。
【図面の簡単な説明】
【図１】テープのトラックフォーマットを示す図である。
【図２】テープのトラックフォーマットを示す図である。
【図３】テープのトラックフォーマットを示す図である。
【図４】アプリケーションＩＤの階層構造を示す図である。
【図５】テープのトラックフォーマットを示す図である。
【図６】パックの構造を示す図である。
【図７】ヘッダーの階層構造を示す図である。
【図８】パックヘッダー表を示す図である。
【図９】テープのトラックフォーマットを示す図である。
【図１０】プリシンク及びポストシンクの構成を示す図である。
【図１１】テープのトラックフォーマットを示す図である。
【図１２】テープのトラックフォーマットを示す図である。
【図１３】テープのトラックフォーマットを示す図である。
【図１４】テープのトラックフォーマットを示す図である。
【図１５】テープのトラックフォーマットを示す図である。
【図１６】テープのトラックフォーマットを示す図である。
【図１７】テープのトラックフォーマットを示す図である。
【図１８】ＩＤ部の詳細を示す図である。
【図１９】テープのトラックフォーマットを示す図である。
【図２０】テープのトラックフォーマットを示す図である。
【図２１】ＩＤ部の詳細を示す図である。
【図２２】テープのトラックフォーマットを示す図である。
【図２３】ＭＩＣのデータ構造を示す図である。
【図２４】パックヘッダー表の一部を抜き出した図である。
【図２５】パックを示す図である。
【図２６】パックを示す図である。
【図２７】パックを示す図である。
【図２８】パックを示す図である。
【図２９】パックを示す図である。
【図３０】パックを示す図である。
【図３１】パックを示す図である。
【図３２】パックを示す図である。
【図３３】パックを示す図である。
【図３４】パックを示す図である。
【図３５】パックを示す図である。
【図３６】パックを示す図である。
【図３７】パックを示す図である。
【図３８】パックを示す図である。
【図３９】パックを示す図である。
【図４０】パックを示す図である。
【図４１】パックの使用例を説明するための図である。
【図４２】パックの使用例を説明するための図である。
【図４３】アフレコ後のＭＩＣ内のオプショナルエリアを表した図である。
【図４４】ディジタルＶＣＲの垂直ブランキング期間を示す波形図である。
【図４５】ラインパックを使用して垂直ブランキング期間のデータを記録する場合の説明に用いる図である。
【図４６】ＭＩＣに記憶されたパックの様子を示す図である。
【図４７】ＭＩＣマイコンがイベントヘッダーを認識する過程を示したフローチャートである。
【図４８】ディジタルＶＣＲの記録系を示すブロック図である。
【図４９】ディジタルＶＣＲの再生系を示すブロック図である。
【図５０】ディジタルＶＣＲの再生系を示すブロック図である。
【図５１】従来の技術の説明に用いる図である。
【符号の説明】
２０  信号処理マイコン
２５  シンク発生回路
２７  エラー訂正符号生成回路
２８、１２８  メカ制御マイコン
３４、１１７  モード処理マイコン
３８、１１９  ＭＩＣマイコン
４１、１２１  ＭＩＣ
【図１】
0003555162.tif 000002
【図２】
0003555162.tif 000003
【図３】
0003555162.tif 000004
【図４】
0003555162.tif 000005
【図５】
0003555162.tif 000006
【図６】
0003555162.tif 000007
【図７】
0003555162.tif 000008
【図８】
0003555162.tif 000009
【図９】
0003555162.tif 000010
【図１０】
0003555162.tif 000011
【図１１】
0003555162.tif 000012
【図１２】
0003555162.tif 000013
【図１３】
0003555162.tif 000014
【図１４】
0003555162.tif 000015
【図１５】
0003555162.tif 000016
【図１６】
0003555162.tif 000017
【図１７】
0003555162.tif 000018
【図１８】
0003555162.tif 000019
【図１９】
0003555162.tif 000020
【図２０】
0003555162.tif 000021
【図２１】
0003555162.tif 000022
【図２２】
0003555162.tif 000023
【図２３】
0003555162.tif 000024
【図２４】
0003555162.tif 000025
【図２５】
0003555162.tif 000026
【図２６】
0003555162.tif 000027
【図２７】
0003555162.tif 000028
【図２８】
0003555162.tif 000029
【図２９】
0003555162.tif 000030
【図３０】
0003555162.tif 000031
【図３１】
0003555162.tif 000032
【図３２】
0003555162.tif 000033
【図３３】
0003555162.tif 000034
【図３４】
0003555162.tif 000035
【図３５】
0003555162.tif 000036
【図３６】
0003555162.tif 000037
【図３７】
0003555162.tif 000038
【図３８】
0003555162.tif 000039
【図３９】
0003555162.tif 000040
【図４０】
0003555162.tif 000041
【図４１】
0003555162.tif 000042
【図４２】
0003555162.tif 000043
【図４３】
0003555162.tif 000044
【図４４】
0003555162.tif 000045
【図４５】
0003555162.tif 000046
【図４６】
0003555162.tif 000047
【図４７】
0003555162.tif 000048
【図４８】
0003555162.tif 000049
【図４９】
0003555162.tif 000050
【図５０】
0003555162.tif 000051
【図５１】
0003555162.tif 000052